【手続補正書】
【提出日】平成22年1月27日(2010.1.27)
【手続補正１】
【補正対象書類名】特許請求の範囲
【補正対象項目名】全文
【補正方法】変更
【補正の内容】
【特許請求の範囲】
【請求項１】
マスタ装置と複数のスレーブ装置とが接続可能であり、
前記マスタ装置から前記複数のスレーブ装置へクロック信号を送信するためのクロック信号線と、
前記クロック信号に同期して前記マスタ装置から前記複数のスレーブ装置へコマンド信号を送信するためのコマンド信号線と、
前記クロック信号に同期して前記複数のスレーブ装置のうちの少なくとも１つのスレーブ装置から前記マスタ装置へ自身の状態を表すステータス信号を送信するステータス信号線と、
前記スレーブ装置に備えられ、前記ステータス信号線の信号レベルを第１レベルから第２レベルに切り替えることで、前記ステータス信号を送信する準備が整ったことを通知する通知手段と、
前記マスタ装置に備えられ、前記スレーブ装置が備える前記通知手段から送信された前記ステータス信号線の信号レベルが前記第２レベルとなったことを検出する検出手段とを備え、
前記マスタ装置は、前記複数のスレーブ装置のすべてに前記コマンド信号を送信した後、前記検出手段により前記複数のスレーブ装置のすべてについて前記ステータス信号線の信号レベルが前記第２レベルとなったことを検出すると、前記ステータス信号を送信させるための前記クロック信号を前記複数のスレーブ装置のすべてに送信するように制御することを特徴とするシリアル通信システム。
【請求項２】
前記マスタ装置から前記コマンド信号を受信すると、前記複数のスレーブ装置のうち前記コマンド信号により前記マスタ装置へ前記ステータス信号の送信を要求されているスレーブ装置は、前記クロック信号に同期して前記ステータス信号を送信し、
前記コマンド信号により前記マスタ装置への前記ステータス信号の送信を要求されていないスレーブ装置は、前記マスタ装置へ前記ステータス信号の送信を要求されているスレーブ装置から前記マスタ装置への前記ステータス信号の送信のために、前記ステータス信号線の信号レベルを第２レベルへと切り替えることを特徴とする請求項１に記載のシリアル通信システム。
【請求項３】
前記複数のスレーブ装置は、自身のステータス信号線と他のスレーブ装置のステータス信号線を論理和接続させるための論理和接続手段をさらに含むことを特徴とする請求項１又は２に記載のシリアル通信システム。
【請求項４】
前記複数のスレーブ装置は、前記クロック信号に同期して同一の内容のステータス信号を複数回送信することを特徴とする請求項１乃至３のいずれか１項に記載のシリアル通信システム。
【請求項５】
前記ステータス信号線の前記第１レベルはＬｏｗレベルであり、前記第２レベルはＨｉｇｈレベルであることを特徴とする請求項１又は２に記載のシリアル通信システム。
【請求項６】
マスタ装置と複数のスレーブ装置とが接続可能であり、
前記マスタ装置から前記複数のスレーブ装置へクロック信号を送信するためのクロック信号線と、
前記クロック信号に同期して前記マスタ装置から前記複数のスレーブ装置へコマンド信号を送信するためのコマンド信号線と、
前記クロック信号に同期して前記複数のスレーブ装置のうちの少なくとも１つのスレーブ装置から前記マスタ装置へ自身の状態を表すステータス信号を送信するステータス信号線と、を備えるシリアル通信システムであって、
前記スレーブ装置は、前記コマンド信号を受信した後に、前記ステータス信号を送信させるための前記クロック信号に同期させて、第１のステータス信号を前記マスタ装置へ送信する第１の送信と、
前記コマンド信号を受信するための前記クロック信号に同期させて、前記第1のステータス信号とは異なる第２のステータス信号を前記マスタ装置へ送信する第２の送信を行うことを特徴とするシリアル通信システム。
【請求項７】
前記スレーブ装置は、自身の状態を表すステータスのうち前記コマンド信号に依存する依存情報と前記コマンド信号に依存しない非依存情報とを取得し、
前記第１のステータス信号として前記依存情報を前記マスタ装置に送信し、前記第２のステータス信号として前記非依存情報を前記マスタ装置に送信することを特徴とする請求項６に記載のシリアル通信システム。
【請求項８】
マスタ装置からのクロック信号を受信するためのクロック信号線と、
前記クロック信号に同期して前記マスタ装置からのコマンド信号を受信するためのコマンド信号線と、
前記クロック信号に同期して前記マスタ装置へ自身の状態を表すステータス信号を送信するステータス信号線と、を含むスレーブ装置であって、
前記ステータス信号線の信号レベルを第１レベルから第２レベルに切り替えることで、前記スレーブ装置が前記ステータス信号を送信する準備が整ったことを前記マスタ装置へ通知する通知手段と、を備え、
前記コマンド信号により前記マスタ装置へ前記ステータス信号の送信を要求されている場合は、前記クロック信号に同期して前記ステータス信号線により前記ステータス信号を送信し、
前記コマンド信号により前記マスタ装置への前記ステータス信号の送信を要求されていない場合は、前記マスタ装置へ前記ステータス信号の送信を要求されている他のスレーブ装置から前記マスタ装置への前記ステータス信号の送信のために、前記ステータス信号線の信号レベルを前記第２レベルへと切り替えることを特徴とするスレーブ装置。
【請求項９】
前記マスタ装置からのクロック信号を受信するためのクロック信号線と、
前記クロック信号に同期して前記マスタ装置からのコマンド信号を受信するためのコマンド信号線と、
前記クロック信号に同期して前記マスタ装置へ自身の状態を表すステータス信号を送信するステータス信号線と、を備えるスレーブ装置であって、
前記スレーブ装置は、前記コマンド信号を受信した後に、前記ステータス信号を送信させるための前記クロック信号に同期させて、第１のステータス信号を前記マスタ装置へ送信する第１の送信と、
前記コマンド信号を受信するための前記クロック信号に同期させて、前記第１のステータス信号とは異なる第２のステータス信号を前記マスタ装置へ送信する第２送信を行うことを特徴とするスレーブ装置。
【手続補正２】
【補正対象書類名】明細書
【補正対象項目名】０００８
【補正方法】変更
【補正の内容】
【０００８】
本発明は、マスタ装置と複数のスレーブ装置とが接続可能であり、前記マスタ装置から前記複数のスレーブ装置へクロック信号を送信するためのクロック信号線と、前記クロック信号に同期して前記マスタ装置から前記複数のスレーブ装置へコマンド信号を送信するためのコマンド信号線と、前記クロック信号に同期して前記複数のスレーブ装置のうちの少なくとも１つのスレーブ装置から前記マスタ装置へ自身の状態を表すステータス信号を送信するステータス信号線と、前記スレーブ装置に備えられ、前記ステータス信号線の信号レベルを第１レベルから第２レベルに切り替えることで、前記ステータス信号を送信する準備が整ったことを通知する通知手段と、前記マスタ装置に備えられ、前記スレーブ装置が備える前記通知手段から送信された前記ステータス信号線の信号レベルが前記第２レベルとなったことを検出する検出手段とを備え、前記マスタ装置は、前記複数のスレーブ装置のすべてに前記コマンド信号を送信した後、前記検出手段により前記複数のスレーブ装置のすべてについて前記ステータス信号線の信号レベルが前記第２レベルとなったことを検出すると、前記ステータス信号を送信させるための前記クロック信号を前記複数のスレーブ装置のすべてに送信するように制御することを特徴とするシリアル通信システムを提供する。
【手続補正３】
【補正対象書類名】明細書
【補正対象項目名】０００９
【補正方法】変更
【補正の内容】
【０００９】
また、本発明は、マスタ装置からのクロック信号を受信するためのクロック信号線と、前記クロック信号に同期して前記マスタ装置からのコマンド信号を受信するためのコマンド信号線と、前記クロック信号に同期して前記マスタ装置へ自身の状態を表すステータス信号を送信するステータス信号線と、を含むスレーブ装置であって、前記ステータス信号線の信号レベルを第１レベルから第２レベルに切り替えることで、前記スレーブ装置が前記ステータス信号を送信する準備が整ったことを前記マスタ装置へ通知する通知手段と、を備え、前記コマンド信号により前記マスタ装置へ前記ステータス信号の送信を要求されている場合は、前記クロック信号に同期して前記ステータス信号線により前記ステータス信号を送信し、前記コマンド信号により前記マスタ装置への前記ステータス信号の送信を要求されていない場合は、前記マスタ装置へ前記ステータス信号の送信を要求されている他のスレーブ装置から前記マスタ装置への前記ステータス信号の送信のために、前記ステータス信号線の信号レベルを前記第２レベルへと切り替えることを特徴とするスレーブ装置を提供する。
【手続補正４】
【補正対象書類名】明細書
【補正対象項目名】発明の名称
【補正方法】変更
【補正の内容】
【発明の名称】シリアル通信システム及びスレーブ装置